(57)【要約】【課題】  同じ道具を使用して、ハウス内に設置する中柱の断面形状を選択可能にする支柱等を提供する。【解決手段】  ハウス内に設置される支柱（１）は、上側パイプ（３，１５）と、下側パイプ（５，１７）と、上側パイプの下端側と下側パイプの上端側とを連結する連結部（７，１９）と、上側パイプの上端が挿入される天井設置部９と、下側パイプの下端を支えるベース部１１を備える。ベース部１１は、内側支持部１２2と、これを囲うように外側支持部１２1を備える。ベース部１１は、大きな形状の下側パイプ５を外側支持部１２1により支持する。小さな形状の下側パイプ１７を内側支持部１２2により支持する。また、中柱として使用しないときには、上側パイプを下側パイプの中空空間に収納して保管する。【選択図】  図１
2018011531.tif 000002
【特許請求の範囲】
【請求項１】
ハウス内に設置される支柱であって、
柱状部と、前記柱状部の上端が挿入される天井設置部と、前記柱状部の下端を支えるベース部を備え、
前記柱状部は、少なくとも下端側が中空であり、
前記ベース部は、突起して前記柱状部の下端の内面側及び／又は外面側を支える複数の支持部を備え、
前記複数の支持部は、それぞれ、前記柱状部の下端の異なる形状に対応して、
前記柱状部の下端の最も小さい形状に対応する支持部が最も内側にあり、
前記柱状部の下端のより大きい形状に対応する支持部が、より小さい形状に対応する支持部の外側にある、支柱。
【請求項２】
前記柱状部は、上側柱状部と、中空の下側筒状部と、前記上側柱状部の下端側と前記下側筒状部の上端側とを連結する連結部を備え、
前記上側柱状部の外面の断面は、前記下側筒状部の内面の断面に含まれることにより、
ハウス内に設置しないときには前記上側柱状部の一部又は全部は前記下側筒状部の中空空間に収納可能であり、
ハウス内に設置するときには、前記上側柱状部の上端が前記天井設置部に挿入され、前記下側筒状部の下端が前記支持部に支えられる、請求項１記載の支柱。
【請求項３】
前記支持部は、
前記柱状部の下端の小さな形状に対応して内面側を支える第１支持部と、
前記柱状部の下端の大きな形状に対応して外面側を支える第２支持部であり、
前記柱状部は、下端が小さな形状でも大きな形状でも、前記第１支持部及び前記第２支持部の間で支えられる、請求項１又は２に記載の支柱。
【請求項４】
前記支持部は、側面で、前記柱状部の下端の外面側又は内面側を支えるものであり、
前記支持部の側面は、
前記外面を支えるならば外側から内側に傾斜し、
前記内面を支えるならば内側から外側に傾斜する、請求項１から３のいずれかに記載の支柱。
【請求項５】
ハウス内に支柱を設置する支柱設置方法であって、
前記支柱は、柱状部と、前記柱状部の上端が挿入される天井設置部と、前記柱状部の下端が挿入されて前記柱状部を支えるベース部を備え、
前記柱状部は、上側柱状部と、中空の下側筒状部と、前記上側柱状部の下端側と前記下側筒状部の上端側とを連結する連結部を備え、
前記ベース部は、突起して前記柱状部の下端の内面及び／又は外面を支える複数の支持部を備え、
前記複数の支持部は、前記柱状部の下端の異なる形状に対応し、
前記ハウス内の天井に、前記柱状部の上端が挿入されていない状態で前記天井設置部を設置し、前記下側筒状部の中空空間に前記上側柱状部の一部又は全部を収納して保管する設置準備ステップと、
前記柱状部の上端を前記天井設置部に挿入し、前記柱状部の下端の形状に対応する前記支持部が下端を支える支柱設置ステップを含む支柱設置方法。
【発明の詳細な説明】
【技術分野】
【０００１】
本願発明は、支柱及び支柱設置方法に関し、特に、ハウス内に設置される支柱等に関する。
【背景技術】
【０００２】
ハウス（例えばビニールハウスなど）における雪害対策として、ハウス内に中柱を設置することが行われている。
【先行技術文献】
【非特許文献】
【０００３】
【非特許文献１】「ビニールハウスの雪害対策」，[online]，＜URL：http://www.pref.tokushima.jp/docs/2015020500070/files/setsugaitaisaku.pdf＞
【発明の概要】
【発明が解決しようとする課題】
【０００４】
しかしながら、中柱をハウスの骨組みに確実に設置するために、専用の道具を使う（非特許文献１の上部に固定された塩ビパイプや鉄パイプ参照）。そのため、中柱の断面形状は、一つの形状に対応する専用の道具を用いていた。そのため、機器を用意してしまうと、中柱の選択の自由度が著しく失われていた。
【０００５】
例えば、中柱は、太ければ強度が増すものの、設置が困難になり、また、コストが増加してしまう。他方、細ければ、強度は低くなるが、容易に設置でき、コストも抑えることができる。従来は、中柱の断面形状が固定されているために、例えば、積雪の度合いに応じて、設置する中柱の太さを変えるなどの工夫を行うことが困難であった。その結果、過度な強度に対応することとなり、コストや作業が増加することとなってしまう。
【０００６】
そこで、本願発明は、同じ道具を使用して、ハウス内に設置する中柱の断面形状を選択可能にする支柱等を提供することを目的とする。
【課題を解決するための手段】
【０００７】
本願発明の第１の観点は、ハウス内に設置される支柱であって、柱状部と、前記柱状部の上端が挿入される天井設置部と、前記柱状部の下端を支えるベース部を備え、前記柱状部は、少なくとも下端側が中空であり、前記ベース部は、突起して前記柱状部の下端の内面側及び／又は外面側を支える複数の支持部を備え、前記複数の支持部は、それぞれ、前記柱状部の下端の異なる形状に対応して、前記柱状部の下端の最も小さい形状に対応する支持部が最も内側にあり、前記柱状部の下端のより大きい形状に対応する支持部が、より小さい形状に対応する支持部の外側にあるものである。
【０００８】
本願発明の第２の観点は、第１の観点の支柱であって、前記柱状部は、上側柱状部と、中空の下側筒状部と、前記上側柱状部の下端側と前記下側筒状部の上端側とを連結する連結部を備え、前記上側柱状部の外面の断面は、前記下側筒状部の内面の断面に含まれることにより、ハウス内に設置しないときには前記上側柱状部の一部又は全部は前記下側筒状部の中空空間に収納可能であり、ハウス内に設置するときには、前記上側柱状部の上端が前記天井設置部に挿入され、前記下側筒状部の下端が前記支持部に支えられる。
【０００９】
本願発明の第３の観点は、第１又は第２の観点の支柱であって、前記支持部は、前記柱状部の下端の小さな形状に対応して内面側を支える第１支持部と、前記柱状部の下端の大きな形状に対応して外面側を支える第２支持部であり、前記柱状部は、下端が小さな形状でも大きな形状でも、前記第１支持部及び前記第２支持部の間で支えられるものである。
【００１０】
本願発明の第４の観点は、第１から第３のいずれかの観点の支柱であって、前記支持部は、側面で、前記柱状部の下端の外面側又は内面側を支えるものであり、前記支持部の側面は、前記外面を支えるならば外側から内側に傾斜し、前記内面を支えるならば内側から外側に傾斜するものである。
【００１１】
本願発明の第５の観点は、ハウス内に支柱を設置する支柱設置方法であって、前記支柱は、柱状部と、前記柱状部の上端が挿入される天井設置部と、前記柱状部の下端が挿入されて前記柱状部を支えるベース部を備え、前記柱状部は、上側柱状部と、中空の下側筒状部と、前記上側柱状部の下端側と前記下側筒状部の上端側とを連結する連結部を備え、前記ベース部は、突起して前記柱状部の下端の内面及び／又は外面を支える複数の支持部を備え、前記複数の支持部は、前記柱状部の下端の異なる形状に対応し、前記ハウス内の天井に、前記柱状部の上端が挿入されていない状態で前記天井設置部を設置し、前記下側筒状部の中空空間に前記上側柱状部の一部又は全部を収納して保管する設置準備ステップと、前記柱状部の上端を前記天井設置部に挿入し、前記柱状部の下端の形状に対応する前記支持部が下端を支える支柱設置ステップを含むものである。
【発明の効果】
【００１２】
本願発明の各観点によれば、ベース部は、柱状部の下端の複数形状を支えることができる。そのため、柱状部は、長手方向の複数の断面を選択することができる。具体的には、複数の支持部は、柱状部の複数の形状に対応し、いわば入れ子のように、最も小さな形状に対応する支持部が最も内側に配置され、より大きな形状に対応する支持部がより外側に配置される。利用者が、特定の形状の柱状部を選択したとき、より小さな形状に対応する支持部が内側に配置されているが、柱状部の下端側は中空であるため、これらのより小さな形状に対応する支持部により設置を妨げられない。よって、天井設置部及びベース部を変更せずに、複数形状の柱状部から選択して設置することができる。
【００１３】
さらに、中柱は、保管しておき、積雪等が予想されると設置される。しかしながら、中柱は、地表から天井までの長さとなるため、保管場所を広く確保する必要があった。本願発明の第２の観点によれば、下側が中空であることを利用して、上側柱状部と下側筒状部を連結したものとし、保管時には、上側柱状部の一部又は全部を下側筒状部の中空空間に収納することにより、保管時の長さを短くして、保管場所を大幅に削減できる。さらに、従来、調整の範囲が狭くなりがちであったが、本願発明によれば、２段の連結したものであることから、調整の範囲が大きい。
【００１４】
さらに、本願発明の第３の観点によれば、２つの形状に対応する場合に、柱状部は、第１支持部と第２支持部の間にある溝に入れればよいため、作業が統一化される。
【００１５】
さらに、本願発明の第４の観点によれば、同一規格で製品としては微小に異なる形状であっても、傾斜を利用して設置することができ、製品選択の幅を広げることができる。
【図面の簡単な説明】
【００１６】
【図１】本願発明の実施の形態に係る支柱の一例を示す図である。
【図２】図１（ａ）の大型連結部７の一例を示す。
【図３】図１（ｃ）の小型連結部１９の一例を示す。
【図４】図１の天井設置部９の一例を示す。
【図５】図１のベース部１１の一例を示す。
【図６】図５のベース部において異なる直径のパイプを設置する場合の例を示す。
【図７】本願発明の試作品の一例を示す。
【発明を実施するための形態】
【００１７】
以下、本願発明の実施の形態について説明する。なお、本願発明は、下記の実施例に限定されるものではない。
【実施例】
【００１８】
図１は、本願発明の実施の形態に係る支柱の一例を示す図である。図１（ａ）は、中柱として太い支柱を使用する場合の一例を示す。図１（ｂ）は、図１（ａ）の場合での収納の一例を示す。図１（ｃ）は、中柱として細い支柱を使用する場合の一例を示す。
【００１９】
図１（ａ）を参照して、支柱１は、上側パイプ３（本願請求項の「上側柱状部」の一例）と、下側パイプ５（本願請求項の「下側筒状部」の一例）と、大型連結部７（本願請求項の「連結部」の一例。上側パイプ３と下側パイプ５と大型連結部７を併せたものが、本願請求項の「柱状部」の一例）と、天井設置部９（本願請求項の「天井設置部」の一例）と、ベース部１１（本願請求項の「ベース部」の一例）を備える。
【００２０】
上側パイプ３と下側パイプ５は、一般に用いられているパイプのように、外面が円柱状で、内部が中空の円筒状（チューブ状）である。上側パイプ３及び下側パイプ５の外面の直径は、例えば、それぞれ、３２ｍｍ及び３８ｍｍである。下側パイプ５は、例えば厚みが２ｍｍでも、内面の直径は３４ｍｍである。上側パイプ３は、下側パイプ５の中空空間に、充分に収納可能なものである。なお、上側パイプ３と下側パイプ５は、ほぼ同じ長さでもよく、上側パイプ３が下側パイプ５よりも短くてもよい。
【００２１】
天井設置部９は、ハウス内の天井の骨組み１３に固定されている。ハウス内での作業者は、中柱が必要なければ、図１（ｂ）にあるように、天井設置部９をハウス内に残したままで柱状部を外す。そして、下側パイプ５の中空空間に上側パイプ３の一部又は全部を挿入することにより、柱状部の長さを短くして、保管場所を大幅に削減することができる。ベース部１１は、保管時には、柱状部に付けておくことができる。
【００２２】
中柱を設置するとき、大型連結部７は、上側パイプ３を下側パイプ５から引き出し、上側パイプ３の一部が下側パイプ５の内側の中空空間にある状態で、上側パイプ３と下側パイプ５の位置関係を固定する。
【００２３】
ベース部１１は、同心円状に突起して、外側支持部１２1と内側支持部１２2（本願請求項の「支持部」の一例）を備える。外側支持部１２1は、下側パイプ５の外面を、内側の側面で支持する。内側支持部１２2は、下側パイプ１７の内面を、外側の側面で支持する。図１（ａ）で、下側パイプ５の内部に内側支持部１２2が存在するが、下側パイプ５が筒状であり、中空であるために、外側支持部１２1により支持されている。
【００２４】
図１（ｃ）にあるように、細い直径のパイプを使用することもできる。支柱は、上側パイプ１５（本願請求項の「上側パイプ」の他の一例）と、下側パイプ１７（本願請求項の「下側パイプ」の他の一例）と、小型連結部１９（本願請求項の「連結部」の他の一例。上側パイプ１５と下側パイプ１７と小型連結部１９を併せたものが、本願請求項の「柱状部」の他の一例）と、天井設置部９（本願請求項の「天井設置部」の一例）と、ベース部１１（本願請求項の「ベース部」の一例）を備える。
【００２５】
上側パイプ１５と下側パイプ１７は、図１（ａ）の上側パイプ３と下側パイプ５と同様に、円筒状で、内部が中空である。上側パイプ１５及び下側パイプ１７の直径は、例えば、それぞれ、２５ｍｍ及び３２ｍｍである。上側パイプ１５は、下側パイプ１７の中空空間に、充分に収納可能である。また、内側支持部１２2は、下側パイプ１７の内面を、外側の側面で支持する。
【００２６】
本願発明は、パイプの直径が変わっても、天井設置部９及びベース部１１を変更する必要がない。そのため、天井設置部９等を設置した後でも、柱状部の直径を変更することができる。また、下側パイプ５及び１７は、共に、外側支持部１２1と内側支持部１２2との間に挿入する。そのため、直径が異なるパイプを使用していても、設置作業に統一性を持たせることができる。
【００２７】
なお、上記では、２種類の円筒状のパイプを使用する場合を例に説明したが、本願発明は、このような断面形状と種類数に限定されるものではない。
【００２８】
図２〜図６を参照して、図１の支柱の例を具体的に説明する。
【００２９】
図２は、図１（ａ）の大型連結部７の一例を示す。（ａ）は斜視図であり、（ｂ）は正面図である。大型連結部７は、上側パイプ３が貫通する上側挿入部２１と、下側パイプ５が挿入される下側挿入部２３と、上側パイプ３を固定するパイプ固定部２５を備える。図には、ハウス内の骨組みに固定するためのハウス固定部２７1及び２７2を付加した例を示しているが、本願発明は、このような実施例に限定されず、省略してもよい。
【００３０】
下側パイプ５は、下側挿入部２３に挿入される。下側挿入部２３は、上部が狭くなっているため、下側パイプ５は、一定の深さまで挿入されると、それ以上には挿入されず、上からの負荷に耐えることができる。
【００３１】
上側パイプ３は、上側挿入部２１を貫通して上下に移動させることができる。パイプ固定部２５は、ねじ切りがなされており、ねじを使用して中柱として使用するときには上側パイプ３を固定し、上側パイプ３と下側パイプ５を併せて一定の長さのものとすることができる。収納するときには、ねじを緩めてパイプ固定部２５による固定を解除して、上側パイプ３を上下に移動可能な状態にする。図１（ｂ）にあるように、上側パイプ３は、下側パイプ５の中空空間に入れて収納することができる。中柱として使用するときには、引き出して、全体として一定の長さのものとすることができる。
【００３２】
ハウス固定部２７1及び２７2は、例えば、それぞれ、ハウス内の屋根の骨組みとパイプで結ぶことにより、屋根を天井設置部９に加えて他の複数点で支えることができ、いわば、線状・面状に支えて屋根の強度を大幅に増すことができる。
【００３３】
図３は、図１（ｃ）の小型連結部１９の一例を示す。（ａ）は斜視図であり、（ｂ）は正面図である。小型連結部９は、上側パイプ１５が貫通する上側挿入部３１と、下側パイプ１７が挿入される下側挿入部３３と、上側パイプ１５を固定するパイプ固定部３５と、ハウス内の骨組み等に固定するためのハウス固定部３７1及び３７2を備える。
【００３４】
図３の小型連結部１９の各部は、図２の大型連結部７の各部と同様である。すなわち、下側挿入部３３は、上部が狭くなっており、挿入された下側パイプ１７は、一定の深さまでしか挿入することができない。上側パイプ１５は、上側挿入部３１を貫通する。パイプ固定部３５は、ねじ切りがなされており、ねじを使って、中柱として使用するときには上側パイプ１５を固定し、収納するときにはパイプ固定部３５による固定を解除して、上側パイプ１５を下側パイプ１７の中空空間に入れることができる。ハウス固定部３７1及び３７2は、ハウス内の骨組み等とロープ等で結ぶことにより、容易に、中柱をハウスに固定することができる。
【００３５】
図４は、図１の天井設置部９の一例を示す。（ａ）は斜視図であり、（ｂ）は側面図であり、（ｃ）は側面図であり、（ｄ）は底面図である。図４（ａ）を参照して、天井設置部９は、上側パイプが挿入されるパイプ挿入部４１と、ハウス内の天井のパイプに固定されるハウス固定部４３1及び４３2を備える。
【００３６】
図４（ｂ）を参照して、パイプ挿入部４１は、下から上に、階段状に徐々に狭くなっている。上段挿入部４５は、図１（ｃ）の上側パイプ１５の外面の直径とほぼ等しい直径の筒状になっており、上側パイプ１５が挿嵌して固定される。中断挿入部４７は、上段挿入部４５よりも広く、図１（ａ）の上側パイプ３の外面の直径とほぼ等しい直径の筒状になっている。下段挿入部４９は、中断挿入部４７よりもよりも広く、天井設置部９がハウスの天井に固定されていても、上側パイプ３及び１５が挿入しやすい形状となっている。
【００３７】
図４より、天井設置部９は、上側パイプ３及び１５という、異なる直径の上側パイプを、上段挿入部４５及び中断挿入部４７によって固定することができる構造である。
【００３８】
図５は、図１のベース部１１の一例を示す。（ａ）は斜視図であり、（ｂ）は平面図であり、（ｃ）は側面図であり、（ｄ）は中心軸をとおる面での断面図である。
【００３９】
図５（ａ）を参照して、ベース部１１は、下側パイプを支える内側支持部５１と、内側支持部５１の外側に形成され、より直径の大きな下側パイプを支える外側支持部５３を備える。
【００４０】
図５の例では、内側支持部５１は、その外面５５で下側パイプ１７の内面を支え、外側支持部５３は、その内面５７で下側パイプ５の外面を支える。
【００４１】
具体的には、内側支持部５１の外面５５は、上に狭く、下に広くなるように傾斜している。下側パイプ１７は、同じ規格であっても、厚みなどの関係で、内面の直径はさまざまである。そのため、下側パイプ１７の下側の中空部分が内側支持部５１を囲むように入れたとき、内面５７の傾斜によって、下側パイプ１７の内面を支えることができる。
【００４２】
同様に、外側支持部５３の内面５７は、上に広く、下に狭くなるように傾斜している。下側パイプ５は、同じ規格であっても、外面の直径が異なることがある。下側パイプ５の下側の中空部分が内側支持部５１を囲むように入れたとき、中空空間は、内側支持部５１よりも充分に大きいため、内側支持部５１は、下側パイプ５を支えない。そして、外側支持部の内面５７は、下側パイプ５の外面を支えることができる。
【００４３】
図６は、図５のベース部において、異なる直径の下側パイプを設置する場合の例を示す。例えば、ハンマー等でパイプをベース部に叩き込むことにより、下側パイプをベース部に固定することができる。（ａ）〜（ｃ）は、外面の直径が３１．８ｍｍのものである。厚さが、（ａ）２．０ｍｍ、（ｂ）１．６ｍｍ、（ｃ）１．２ｍｍである。（ｄ）は、外面の直径が３８．１ｍｍである。
【００４４】
図６（ａ）〜（ｃ）より、外面が同じ直径の規格で、厚みが異なっていても、傾斜を利用して支持できていることがわかる。また、図６（ｄ）より、３８ｍｍよりも少し大きな場合でも、支持できていることがわかる。
【００４５】
図７（ａ）〜（ｄ）は、試作品の一例を示す。（ａ）は天井のパイプへの固定例を示し、（ｂ）は収納時のパイプを短くした状態の一例、（ｃ）は設置時のパイプをのばした状態の一例、（ｄ）は、（ｃ）の状態のパイプを天井設置部を使って固定した状態の一例を示す。
【符号の説明】
【００４６】
１  支柱、３，１５  上側パイプ、５，１７  下側パイプ、７  大型連結部、９  天井設置部、１１  ベース部、１２  支持部、１３  骨組み、１９  小型連結部、２１  上側挿入部、２３  下側挿入部、２５  パイプ固定部、２７  ハウス固定部、３１  上側挿入部、３３  下側挿入部、３５  パイプ固定部、３７  ハウス固定部、４１  パイプ挿入部、４３  ハウス固定部、４５  上段挿入部、４７  中段挿入部、４９  下段挿入部、５１  内側支持部、５３  外側支持部、５５  内側支持部５１の外面、４７  外側支持部５３の内面
【図１】
2018011531.tif 000003
【図２】
2018011531.tif 000004
【図３】
2018011531.tif 000005
【図４】
2018011531.tif 000006
【図５】
2018011531.tif 000007
【図６】
2018011531.tif 000008
【図７】
2018011531.tif 000009